(57)【要約】【課題】客観的な基準により卓球台のプレーイング・サーフェスの水平を測定・確認することのできる、水準器付き卓球台および卓球台用水準器ユニットを提供すること。【解決手段】水準器付き卓球台（１０）を、卓球台の競技用表面を有する競技用板部４における競技用表面の水平度を測定するための棒形の水準器（８）が、卓球台に取り付けられている構成とする。特に水準器（８）は、卓球台を構成する競技用板部（４）におけるエンドライン側側面部、またはサイドライン側側面部の少なくともいずれか一方に設けることができる。【選択図】  図１
2005040172.tif 000002
【特許請求の範囲】
【請求項１】
卓球台の競技用表面を有する競技用板部における競技用表面の水平度を測定するための水準器が取り付けられていることを特徴とする、水準器付き卓球台。
【請求項２】
前記水準器は、卓球台のエンドライン側側面部、またはサイドライン側側面部の少なくともいずれか一方に設けられていることを特徴とする、請求項１に記載の水準器付き卓球台。
【請求項３】
前記水準器は、卓球台のエンドライン側側面部の中央部、およびサイドライン側側面部の中央部に設けられていることを特徴とする、請求項１に記載の水準器付き卓球台。
【請求項４】
前記卓球台の競技用板部の裏面には、水準器付き可動板部が設けられており、該水準器付き可動板部は可動板部の上面部に水準器が設けられており、該上面は該競技用表面と平行であり、該水準器付き可動板部は卓球台の水平方向外側に張出させることが可能であることを特徴とする、請求項１に記載の水準器付き卓球台。
【請求項５】
前記水準器付き可動板部は、前記卓球台の競技用板部の裏面に設けられた摺動ガイド部に摺設されており、水準器使用の際には摺動させて卓球台の水平方向外側に引き出すことが可能であることを特徴とする、請求項４に記載の水準器付き卓球台。
【請求項６】
前記水準器付き可動板部は、前記卓球台の競技用板部の裏面に枢設されており、水準器使用の際にはこれを水平方向に回動させて卓球台の水平方向外側に張出させることが可能であることを特徴とする、請求項４に記載の水準器付き卓球台。
【請求項７】
卓球台の前記競技用板部における競技用表面の水平度を測定するために卓球台に取り付けることのできる卓球台用水準器ユニットであって、該ユニットは水平度測定のための水準器を上面部に搭載した板状構造である水準器付き可動板部と、卓球台競技用板部の裏面に該ユニット全体を取り付けるための取付構造部とからなり、該取付構造部には該水準器付き可動板部が卓球台の水平方向外側に張出させることが可能に支持される、ことを特徴とする、卓球台用水準器ユニット。
【請求項８】
前記取付構造部は、これに摺設された前記水準器付き可動板部の摺動が可能な摺動ガイド部であることを特徴とする、請求項７に記載の卓球台用水準器ユニット。
【請求項９】
前記取付構造部には、前記水準器付き可動板部が卓球台の水平方向外側に回動可能に枢設されていることを特徴とする、請求項７に記載の卓球台用水準器ユニット。
【発明の詳細な説明】
【０００１】
【発明の属する技術分野】
本発明は水準器付き卓球台および卓球台用水準器ユニットに関し、特に、卓球台の競技用表面（プレーイング・サーフェス）の水平度を簡易に測定でき、卓球競技のための台の点検を客観的に行うことのできる、水準器付き卓球台および卓球台用水準器ユニットに関する。
【０００２】
【従来の技術】
国際大会、国内大会に関わらず、正規の卓球競技会においては、卓球競技に使用する卓球台の仕様には、一定の規定がある。（財）日本卓球協会の日本卓球ルールブック（平成１４年９月１日改定）によれば、国際ルール“Ｔｈｅ  Ｌａｗｓ  ｏｆ  Ｔａｂｌｅ  Ｔｅｎｎｉｓ”をそのまま読み替えた日本卓球ルールにおいて、「テーブルの上面を「プレーイング・サーフェス」といい、長さ２７４ｃｍ、幅１５２．５ｃｍの長方形で床上７６ｃｍの水平面にあるものとする。」という規定を始めとして、プレーイング・サーフェスの材料、硬度、色、サイドラインとエンドラインの色と幅、二つのコートの連続性などが具体的に規定されている。
【０００３】
かかる規定を満たす限り卓球台としては規定上充分であり、搬出入に便利なキャスターの付いた可動式のもの、中央で折り畳むことのできるもの、脚部で高さの調節のできるもの、台を連結できるものなど、様々なものが従来から使用されている。しかし、搬出入の便宜、保管場所の便宜など取り扱い面からの取り組みがなされている一方で、たとえば規定されているプレーイング・サーフェスの水平をいかにして確保するか、というような、競技そのものの質を維持するための取り組みは、充分になされているとはいえない。面の水平も、国際試合においてさえ、審判員の「勘」に頼って点検がなされているのが現状である。
【０００４】
客観的な基準でのプレーイング・サーフェスの水平を測定・確認する方法についての特許出願等状況の検索調査を行った。特許庁ホームページ上の特許電子図書館（ＩＰＤＬ）の、特許実用新案公報テキスト検索メニューを用い、下記条件にて検索した。
検索式
要約＋特許請求の範囲＝卓球ａｎｄ（台ｏｒ卓ｏｒテーブル）ａｎｄ（水平ｏｒ平衡ｏｒバランスｏｒ水準）
検索対象：公開特許、公開実用新案、特許、実用新案の各公報。
検索結果
公開特許公報  ヒット件数１４件
公開実用新案公報  ヒット件数１８件
特許公報  ヒット件数３件
実用新案公報  ヒット件数９件    計４４件（ただし、重複あり）
【０００５】
このうち、特開２００２−０３５１９０号公報に開示の「巻架組立式卓球練習台」（特許文献１）は、組み立てと取り片付けが容易で部屋スペースを有効利用できる構造の主に１人プレイ用の卓球練習台の提供を目的として、天井への巻上げ、巻下ろし装置を備えた卓球台を提案し、また、特開平０９−１４０８４６号公報に開示の「折畳み式卓球台」（特許文献２）は、卓球台の折畳み又は拡開を単独でしかも安全に行なえるようにするために、支持台  にロッドを起立支持し、ロッドおよびこれと交差する駆動軸とロッドとの間に駆動軸の正逆回転によって前記連結リンクを上下動させる伝導機構を設ける構成を提案している。いずれも、プレーイング・サーフェスの水平測定を取り扱ったものではない。
【０００６】
また、実登２５９０５９４号公報に開示の「折り畳み式卓球台」（特許文献３）は、折り畳み式卓球台の天板の垂れ下がり防止、水平維持等を目的として、上下自在に微調整できるゴム製の支え具を天板支持フレームに設ける構成を提案している。かかる構成により、プレーイング・サーフェスの水平を適宜、任意に調整することは可能であるが、それが厳密に水平であるか否かを測定する機能は有しない。したがってこの提案は、特に競技において重要な点検項目というべきプレーイング・サーフェスの水平について、客観的な基準により測定・確認する手段として用いることはできない。
【０００７】
【特許文献１】
特開２００２−０３５１９０号公報  「巻架組立式卓球練習台」。要約。特許請求の範囲、請求項１〜５。図面、図１〜３。
【特許文献２】
特開平０９−１４０８４６号公報  「折畳み式卓球台」。要約。特許請求の範囲、請求項１。図面、図１〜５。
【特許文献３】
実登２５９０５９４号公報  「折り畳み式卓球台」。特許請求の範囲、請求項１。考案の詳細な説明、段落０００１〜０００３、０００６〜０００７。図面、図１、図２、図６。
【０００８】
【発明が解決しようとする課題】
上述したように、客観的な基準により卓球台のプレーイング・サーフェスの水平を測定・確認するための提案は、従来なされていない。本発明の課題は、かかる従来技術の欠点を解消し、客観的な基準により卓球台のプレーイング・サーフェスの水平を測定・確認することのできる、水準器付き卓球台および卓球台用水準器ユニットを提供することである。すなわち、審判員の勘に頼ることなく、規定に適合するプレーイング・サーフェスの水平状態を正確かつ簡便に測定・確認・点検することのできる水準器付き卓球台および卓球台用水準器ユニットを提供することである。
【０００９】
【課題を解決するための手段】
本願発明者は上記課題につき鋭意検討し、その解決手段に至った。すなわち、上記課題を解決するための手段として、本願で特許請求される発明は以下のとおりである。
（１）  卓球台の競技用表面を有する競技用板部における競技用表面の水平度を測定するための水準器が取り付けられていることを特徴とする、水準器付き卓球台。
【００１０】
（２）  前記水準器は、卓球台のエンドライン側側面部、またはサイドライン側側面部の少なくともいずれか一方に設けられていることを特徴とする、（１）に記載の水準器付き卓球台。
【００１１】
（３）  前記水準器は、卓球台のエンドライン側側面部の中央部、およびサイドライン側側面部の中央部に設けられていることを特徴とする、（１）に記載の水準器付き卓球台。
【００１２】
（４）  前記卓球台の競技用板部の裏面には、水準器付き可動板部が設けられており、該水準器付き可動板部は可動板部の上面部に水準器が設けられており、該上面は該競技用表面と平行であり、該水準器付き可動板部は卓球台の水平方向外側に張出させることが可能であることを特徴とする、（１）に記載の水準器付き卓球台。
【００１３】
（５）  前記水準器付き可動板部は、前記卓球台の競技用板部の裏面に設けられた摺動ガイド部に摺設されており、水準器使用の際には摺動させて卓球台の水平方向外側に引き出すことが可能であることを特徴とする、（４）に記載の水準器付き卓球台。
【００１４】
（６）  前記水準器付き可動板部は、前記卓球台の競技用板部の裏面に枢設されており、水準器使用の際にはこれを水平方向に回動させて卓球台の水平方向外側に張出させることが可能であることを特徴とする、（４）に記載の水準器付き卓球台。
【００１５】
（７）  卓球台の前記競技用板部における競技用表面の水平度を測定するために卓球台に取り付けることのできる卓球台用水準器ユニットであって、該ユニットは水平度測定のための水準器を上面部に搭載した板状構造である水準器付き可動板部と、卓球台競技用板部の裏面に該ユニット全体を取り付けるための取付構造部とからなり、該取付構造部には該水準器付き可動板部が卓球台の水平方向外側に張出させることが可能に支持される、ことを特徴とする、卓球台用水準器ユニット。
【００１６】
（８）  前記取付構造部は、これに摺設された前記水準器付き可動板部の摺動が可能な摺動ガイド部であることを特徴とする、（７）に記載の卓球台用水準器ユニット。
【００１７】
（９）  前記取付構造部には、前記水準器付き可動板部が卓球台の水平方向外側に回動可能に枢設されていることを特徴とする、（７）に記載の卓球台用水準器ユニット。
【００１８】
すなわち本発明の卓球台は、客観的な基準による卓球台のプレーイング・サーフェスの水平の測定・確認を可能とするために、卓球台に水準器を設けるという解決手段、または既存の卓球台にも取り付け可能な卓球台用水準器ユニットを提供するという解決手段を与えたものである。
【００１９】
【発明の実施の形態】
以下、本発明を図面により詳細に説明する。
図１は、本発明に係る水準器付き卓球台の要部構成を示す説明図である。図において本水準器付き卓球台１０は、卓球台の競技用表面を有する競技用板部４における競技用表面の水平度を測定するための水準器８が、卓球台に取り付けられていることを主たる構成とする（請求項１）。特に該水準器８は、卓球台を構成する該競技用板部４におけるエンドライン側側面部、またはサイドライン側側面部の少なくともいずれか一方に設けられることとすることができる（請求項２）。すなわち競技中には不要である該水準器８は、競技用板部４の表側に形成される競技用表面上や、あるいは該板部４の裏面に設けることは不便または不都合であるため、競技進行の妨害とならずかつ台の水平度測定に便利である卓球台の側面部に設けることが望ましい。本発明は、卓球台における可動式、折り畳み式等の仕様には限定されない（以下も同様である）。
【００２０】
【作用】
図において本水準器付き卓球台１０は上述のような基本構成を有するため、取り付けられた水準器８の表示を見ることによって、卓球台の競技用板部４上の競技用表面の水平度を測定することができる。水平度が良好の場合はそのまま競技に供し、水平度が不良で調整が必要な場合は、たとえば卓球台の足の部分において高さを調整する等して再度水準器８による測定を行い、水平良好な状態を確認した上で競技に供することができる。すなわち、本発明の水準器付き卓球台１０の構成・作用により、客観的な基準による卓球台のプレーイング・サーフェスの水平の測定・確認が可能となり、審判員の勘に頼ることなく、規定に適合するプレーイング・サーフェスの水平状態を正確かつ簡便に測定・確認・点検することができる。
【００２１】
図において、競技用板部４の側面部に設ける水準器８は、その表示部が横向きに設置されるため、かかる設置方法に適した種類の水準器を用いる。すなわち、横方向から見て測定することのできる一の水平方向についての水平度を表示可能な水準器を用いる。棒型の水準器はこれに該当する。卓球台の水平は本来、エンドライン方向（以下、便宜的に「Ｘ方向」ともいう。）、サイドライン方向（以下、便宜的に「Ｙ方向」ともいう。）の両方向において保持されることが要求されるため、水準器８はＸ方向およびＹ方向の水平を測定すべく、エンドライン側側面部およびサイドライン側側面部の双方に設けることが望ましい。両側面部にそれぞれ水準器８を設けることにより、Ｘ、Ｙ両方向の水平度の測定を行うことができ、一方のみを設ける場合と比較して、より水平度測定と水平の確保の精度を高めることができる。ただし、本発明では水準器８を、一方の側面部のみに設けるというより簡易な構成をとることもできる。
【００２２】
面の水平を測る機器の総称である水準器は、一般に、アルコールや不燃性の特殊な溶液を入れた円形や棒状、あるいは樽型のガラス製容器に、一つの気泡を入れて密封したものである。一般に、容器の水平面が有する微妙な曲面のため、水準器を置いた面の角度によって気泡の位置が変化する。つまり、傾いた面上では気泡は容器の中央から離れ、一方、水平面上では気泡は中央にて静止する現象を利用して、水平の度合いを測定するものである。本発明の水準器付き卓球台では、本発明の要件を満たす限りあらゆる公知の水準器を用いることができる。
【００２３】
図において、前記競技用板部４の側面部における水準器８の取り付け方法は、水準器８を該板部４側面部から張り出すように設けるか、あるいは該板部４側面部に穿たれた凹陥部に嵌め込んで側面部の面位置から張り出さないように設けるか、については特に限定されないが、競技者にとって邪魔とならない競技の円滑な実施のためには、少なくともエンドライン側側面部に設ける水準器は、該競技用板部４の側面に嵌め込んでこれが側面部の面位置から張り出さないように設けることが望ましい。
【００２４】
図において、水準器付き卓球台１０の卓球台は二の競技用板部４上に各コートが設けられているが、各競技用板部４、４においてそれぞれの競技用表面の水平度を測定するために、図示するように、水準器８は各競技用板部４、４においてそれぞれ設けることが望ましい。
【００２５】
図２は、本発明に係る水準器取り付け位置に特徴のある水準器付き卓球台の要部構成を示す説明図である。図において水準器付き卓球台３０は、卓球台の競技用表面を有する競技用板部２４における競技用表面の水平度を測定するための水準器８が、卓球台を構成する該競技用板部２４におけるエンドライン側側面部の中央部、およびサイドライン側側面部の中央部にそれぞれ設けられている構成とすることができる（請求項３）。水準器８を各側面部の中央部に設けることにより、各方向の水平度測定を、より競技用表面の平均的な水平度を反映し得る位置で行うことができ、水平度測定の精度を高めることができる。図３は、図１に示した水準器付き卓球台１０の卓球台と同様、二の競技用板部２４、２４上に各コートが設けられている卓球台の例である。
【００２６】
図３は、水準器付き可動板部を有する本発明水準器付き卓球台の側面断面構成を示す説明図である。図において本水準器付き卓球台５０は、前記卓球台の競技用板部４４の裏面に、水準器付き可動板部４６が設けられた構成をとる。該水準器付き可動板部４６は、該競技用板部４４に対して水平方向に位置を変化させることができ、それにより卓球台の水平方向外側に張出させることが可能であるように構成された可動板部からなる。また、その上面部には水準器８が設けられており、かつ該上面部の面は該競技用板部４４の競技用表面と平行となるように構成される（請求項４）。該水準器８は該可動板部４６の上面位置から突出しないよう、たとえば該可動板部４６に穿たれた凹陥部に嵌め込むようにすることが望ましい。
【００２７】
図において本水準器付き卓球台５０は上述のように構成されるため、該水準器付き可動板部４６を構成する可動板部（これにも適宜、符号「４６」を付す。）により、該競技用板部４４に対して卓球台の水平方向外側に張出させることができる。該可動板部４６の上面部には水準器８が設けられているため、張り出した可動板部４６上の水準器８の表示を見ることにより、該可動板部４６上面と平行である該競技用板部４４の競技用表面における水平度を測定することができる。かかる構成・作用により、本水準器付き卓球台５０を用いれば、不要の際には可動板部４６を卓球台の裏面に収納しておき、水平度測定が必要な場合にこれを卓球台の水平方向外側に張出させて、該可動板部４６上の水準器８により簡易に水平度測定を行うことができる。
【００２８】
図において本水準器付き卓球台５０は、前記水準器付き可動板部４６が、前記卓球台の競技用板部４４の裏面に設けられた摺動ガイド部４７に摺設された構成とすることができる（請求項５）。すなわち該水準器付き可動板部４６は該摺動ガイド部４７上においてＳ方向に摺動できるように取り付けられる。そして該摺動ガイド部４７は卓球台の競技用板部４４の裏面に固定されるか、あるいは着脱自在に固定される。
【００２９】
図において、本水準器付き卓球台５０は上述のように構成されるため、該水準器付き可動板部４６の水平方向外側への張出しは、摺動（Ｓ）による水平方向外側への引き出しにより、円滑に行うことができる。すなわち、かかる構成・作用により、本水準器付き卓球台５０を用いれば、不要の際には可動板部４６を卓球台の裏面に収納しておき、水平度測定が必要な場合にこれを卓球台の水平方向外側に摺動させて引き出して、該可動板部４６上の水準器８により簡易に水平度測定を行うことができる。
【００３０】
図において、前記水準器付き可動板部４６と、これが摺設される前記摺動ガイド部４７とを一体として、卓球台用水準器ユニット４５とし、該卓球台用水準器ユニット４５を卓球台に取り付けることによって、本発明の水準器付き卓球台を構成することもできる。
【００３１】
図４は、水準器付き可動板部を備える本発明水準器付き卓球台の別の例につきその要部の平面構成を示す説明図である。図において本水準器付き卓球台６０は、水準器付き可動板部５６が、前記卓球台の競技用板部５４の裏面に枢設された構成とすることができる（請求項６）。該可動板部５６の枢設は、回動の中心となりかつ該競技用板部５４に固定される支点部材５７により行うことができる。かかる構成により、水準器付き可動板部５６の水平方向外側への張出しは、回動（Ｒ）による水平方向外側への引き出しにより、円滑に行うことができる。すなわち、かかる構成・作用により、本水準器付き卓球台６０を用いれば、不要の際には可動板部５６を卓球台の裏面に収納しておき、水平度測定が必要な場合にこれを卓球台の水平方向外側に回動させて張り出させ、該可動板部５６上の水準器８により簡易に水平度測定を行うことができる。
【００３２】
図において、前記水準器付き可動板部５６と、これを卓球台の競技用板部５４に摺設するための前記支点部材５７とを一体として、卓球台用水準器ユニット５５とし、該卓球台用水準器ユニット５５を卓球台に取り付けることによって、本発明の水準器付き卓球台を構成することもできる。
【００３３】
図５は、本発明の卓球台用水準器ユニットの側面断面構成を示す説明図である。図において本卓球台用水準器ユニット７５は、卓球台の前記競技用板部における競技用表面の水平度を測定するために卓球台に取り付けることのできる卓球台用水準器ユニット７５であって、該ユニット７５は水平度測定のための水準器７８を上面部に搭載した板状構造である水準器付き可動板部７６と、卓球台競技用板部の裏面に該ユニット７５全体を取り付けるための取付構造部７７とからなり、該取付構造部７７には該水準器付き可動板部７６が卓球台の水平方向外側に張出させることが可能に支持される、ことを主たる構成とする（請求項７）。
【００３４】
かかる構成により本卓球台用水準器ユニット７５は、取付構造部７７によって卓球台競技用板部の裏面に取り付けられ、卓球台の前記競技用板部における競技用表面の水平度を測定する必要がある場合には、該取付構造部７７に支持されている水準器付き可動板部７６が卓球台の水平方向外側に張り出させられ、該水準器付き可動板部７６の上面部に搭載された水準器７８の表示により、水平度が測定される。ここで測定される水平度が、卓球台の競技用表面の水平度を反映させるために、該水準器付き可動板部７６の水準器８が設けられる上面は、競技用表面と平行となるように、本ユニット７５は競技用板部に取り付けられる。
【００３５】
前記取付構造部７７の卓球台競技用板部への取り付けは、永久的な固定でも、着脱自在な固定でもよい。取り付け方法としては、接着剤による接着、ねじや釘等による打ち付け、磁石の利用、その他適宜の方法を用いることができる。
【００３６】
図において、本卓球台用水準器ユニット７５は、前記取付構造部７７を、これに摺設された前記水準器付き可動板部７６の摺動Ｓ’が可能な摺動ガイド部とすることができる（請求項８）。かかる構成により本卓球台用水準器ユニット７５は、該水準器付き可動板部７６の水平方向外側への張出しを、摺動（Ｓ’）による水平方向外側への引き出しにより、円滑に行うことができる。すなわち、かかる構成・作用により、本卓球台用水準器ユニット７５を卓球台に取り付けて用いれば、不要の際には可動板部７６を卓球台の裏面に収納しておき、水平度測定が必要な場合にこれを卓球台の水平方向外側に摺動させて引き出して、該可動板部７６上の水準器７８により簡易に水平度測定を行うことができる。
【００３７】
図６は、本発明の卓球台用水準器ユニットの別の構成につき、その平面構成を示す説明図である。また、
図７は、図６に示す卓球台用水準器ユニットの側面断面構成を示す説明図である。これらの図において本卓球台用水準器ユニット８５は、取付構造部８７に水準器付き可動板部８６が、卓球台の水平方向外側に回動（Ｒ’）可能に枢設されている構成をとる（請求項９）。すなわち、本卓球台用水準器ユニット８５は、卓球台の前記競技用板部における競技用表面の水平度を測定するために卓球台に取り付けることのできるものであって、該ユニット８５は、水平度測定のための水準器８８を上面部に搭載した板状構造である水準器付き可動板部８６と、卓球台競技用板部の裏面に該ユニット８５全体を取り付けるための取付構造部８７とからなり、該取付構造部８７には該水準器付き可動板部８６が枢設され、該取付構造部８７は該水準器付き可動板部８６を、卓球台の水平方向外側に回動により張出させることが可能に支持する構成をとる。
【００３８】
かかる構成により本卓球台用水準器ユニット８５は、取付構造部８７によって卓球台競技用板部の裏面に取り付けられ、卓球台の前記競技用板部における競技用表面の水平度を測定する必要がある場合には、該取付構造部８７に支持されている水準器付き可動板部８６が卓球台の水平方向外側に回動Ｒ’により張り出させられ、該水準器付き可動板部８６の上面部に搭載された水準器８８の表示により、水平度が測定される。ここで測定される水平度が、卓球台の競技用表面の水平度を反映させるために、該水準器付き可動板部８６の水準器８８８が設けられる上面は、競技用表面と平行となるように、本ユニット８５は競技用板部に取り付けられる。
【００３９】
【発明の効果】
本発明の水準器付き卓球台および卓球台用水準器ユニットは上述のように構成されているため、客観的な基準により卓球台のプレーイング・サーフェスの水平を測定・確認することができる。すなわち、審判員の勘に頼ることなく、規定に適合するプレーイング・サーフェスの水平状態を正確かつ簡便に測定・確認・点検することができる。
【００４０】
特に本発明の水準器付き卓球台によれば、卓球台にあらかじめ水準器が取り付けられているため、他に特段の方法を使用することなく競技規定に則した競技を実施することができる。また本発明の卓球台用水準器ユニットによれば、従来の卓球台に対してこれを取り付けるだけで、水準器付き卓球台と同様の効果を得ることができる。
【図面の簡単な説明】
【図１】本発明に係る水準器付き卓球台の構成を示す説明図である。
【図２】本発明に係る水準器取り付け位置に特徴のある水準器付き卓球台のの構成を示す説明図である。
【図３】水準器付き可動板部を有する本発明水準器付き卓球台の側面断面構成を示す説明図である。
【図４】水準器付き可動板部を備える本発明水準器付き卓球台の別の構成につきその平面構成を示す説明図である。
【図５】本発明の卓球台用水準器ユニットの側面断面構成を示す説明図である。
【図６】本発明の卓球台用水準器ユニットの別の構成につき、その平面構成を示す説明図である。
【図７】図６に示す卓球台用水準器ユニットの側面断面構成を示す説明図である。
【符号の説明】
１０、３０、５０、６０…水準器付き卓球台
４、２４、４４、５４…競技用板部
８、７８、８８…水準器
４５、５５、７５、８５…卓球台用水準器ユニット４５
４６、５６、７６、８６…水準器付き可動板部（可動板部）
４７…摺動ガイド部
５７…支点部材
７７、８７…取付構造部
Ｒ、Ｒ’…回動
Ｓ、Ｓ’…摺動
【図１】
2005040172.tif 000003
【図２】
2005040172.tif 000004
【図３】
2005040172.tif 000005
【図４】
2005040172.tif 000006
【図５】
2005040172.tif 000007
【図６】
2005040172.tif 000008
【図７】
2005040172.tif 000009
【手続補正書】
【提出日】平成15年11月7日(2003.11.7)
【手続補正１】
【補正対象書類名】明細書
【補正対象項目名】特許請求の範囲
【補正方法】変更
【補正の内容】
【特許請求の範囲】
【請求項１】
卓球台の競技用表面を有する競技用板部における競技用表面の水平度を測定するための水準器が取り付けられている、水準器付き卓球台であって、該卓球台の競技用板部の裏面には水準器付き可動板部が設けられており、該水準器付き可動板部は可動板部の上面部に水準器が設けられており、該上面は該競技用表面と平行であり、該水準器付き可動板部は卓球台の水平方向外側に張出させることが可能であることを特徴とする、水準器付き卓球台。
【請求項２】
前記水準器付き可動板部は、前記卓球台の競技用板部の裏面に設けられた摺動ガイド部に摺設されており、水準器使用の際には摺動させて卓球台の水平方向外側に引き出すことが可能であることを特徴とする、請求項１に記載の水準器付き卓球台。
【請求項３】
前記水準器付き可動板部は、前記卓球台の競技用板部の裏面に枢設されており、水準器使用の際にはこれを水平方向に回動させて卓球台の水平方向外側に張出させることが可能であることを特徴とする、請求項１に記載の水準器付き卓球台。
【請求項４】
卓球台の前記競技用板部における競技用表面の水平度を測定するために卓球台に取り付けることのできる卓球台用水準器ユニットであって、該ユニットは水平度測定のための水準器を上面部に搭載した板状構造である水準器付き可動板部と、卓球台競技用板部の裏面に該ユニット全体を取り付けるための取付構造部とからなり、該取付構造部には該水準器付き可動板部が卓球台の水平方向外側に張出させることが可能に支持される、ことを特徴とする、卓球台用水準器ユニット。
【請求項５】
前記取付構造部は、これに摺設された前記水準器付き可動板部の摺動が可能な摺動ガイド部であることを特徴とする、請求項４に記載の卓球台用水準器ユニット。
【請求項６】
前記取付構造部には、前記水準器付き可動板部が卓球台の水平方向外側に回動可能に枢設されていることを特徴とする、請求項４に記載の卓球台用水準器ユニット。
【手続補正２】
【補正対象書類名】明細書
【補正対象項目名】発明の詳細な説明
【補正方法】変更
【補正の内容】
【発明の詳細な説明】
【０００１】
【発明の属する技術分野】
本発明は水準器付き卓球台および卓球台用水準器ユニットに関し、特に、卓球台の競技用表面（プレーイング・サーフェス）の水平度を簡易に測定でき、卓球競技のための台の点検を客観的に行うことのできる、水準器付き卓球台および卓球台用水準器ユニットに関する。
【０００２】
【従来の技術】
国際大会、国内大会に関わらず、正規の卓球競技会においては、卓球競技に使用する卓球台の仕様には、一定の規定がある。（財）日本卓球協会の日本卓球ルールブック（平成１４年９月１日改定）によれば、国際ルール“Ｔｈｅ  Ｌａｗｓ  ｏｆ  Ｔａｂｌｅ  Ｔｅｎｎｉｓ”をそのまま読み替えた日本卓球ルールにおいて、「テーブルの上面を「プレーイング・サーフェス」といい、長さ２７４ｃｍ、幅１５２．５ｃｍの長方形で床上７６ｃｍの水平面にあるものとする。」という規定を始めとして、プレーイング・サーフェスの材料、硬度、色、サイドラインとエンドラインの色と幅、二つのコートの連続性などが具体的に規定されている。
【０００３】
かかる規定を満たす限り卓球台としては規定上充分であり、搬出入に便利なキャスターの付いた可動式のもの、中央で折り畳むことのできるもの、脚部で高さの調節のできるもの、台を連結できるものなど、様々なものが従来から使用されている。しかし、搬出入の便宜、保管場所の便宜など取り扱い面からの取り組みがなされている一方で、たとえば規定されているプレーイング・サーフェスの水平をいかにして確保するか、というような、競技そのものの質を維持するための取り組みは、充分になされているとはいえない。面の水平も、国際試合においてさえ、審判員の「勘」に頼って点検がなされているのが現状である。
【０００４】
客観的な基準でのプレーイング・サーフェスの水平を測定・確認する方法についての特許出願等状況の検索調査を行った。特許庁ホームページ上の特許電子図書館（ＩＰＤＬ）の、特許実用新案公報テキスト検索メニューを用い、下記条件にて検索した。
検索式
要約＋特許請求の範囲＝卓球ａｎｄ（台ｏｒ卓ｏｒテーブル）ａｎｄ（水平ｏｒ平衡ｏｒバランスｏｒ水準）
検索対象：公開特許、公開実用新案、特許、実用新案の各公報。
検索結果
公開特許公報  ヒット件数１４件
公開実用新案公報  ヒット件数１８件
特許公報  ヒット件数３件
実用新案公報  ヒット件数９件   計４４件（ただし、重複あり）
【０００５】
このうち、特開２００２−０３５１９０号公報に開示の「巻架組立式卓球練習台」（特許文献１）は、組み立てと取り片付けが容易で部屋スペースを有効利用できる構造の主に１人プレイ用の卓球練習台の提供を目的として、天井への巻上げ、巻下ろし装置を備えた卓球台を提案し、また、特開平０９−１４０８４６号公報に開示の「折畳み式卓球台」（特許文献２）は、卓球台の折畳み又は拡開を単独でしかも安全に行なえるようにするために、支持台 にロッドを起立支持し、ロッドおよびこれと交差する駆動軸とロッドとの間に駆動軸の正逆回転によって前記連結リンクを上下動させる伝導機構を設ける構成を提案している。いずれも、プレーイング・サーフェスの水平測定を取り扱ったものではない。
【０００６】
また、実登２５９０５９４号公報に開示の「折り畳み式卓球台」（特許文献３）は、折り畳み式卓球台の天板の垂れ下がり防止、水平維持等を目的として、上下自在に微調整できるゴム製の支え具を天板支持フレームに設ける構成を提案している。かかる構成により、プレーイング・サーフェスの水平を適宜、任意に調整することは可能であるが、それが厳密に水平であるか否かを測定する機能は有しない。したがってこの提案は、特に競技において重要な点検項目というべきプレーイング・サーフェスの水平について、客観的な基準により測定・確認する手段として用いることはできない。
【０００７】
【特許文献１】
特開２００２−０３５１９０号公報  「巻架組立式卓球練習台」。要約。特許請求の範囲、請求項１〜５。図面、図１〜３。
【特許文献２】
特開平０９−１４０８４６号公報  「折畳み式卓球台」。要約。特許請求の範囲、請求項１。図面、図１〜５。
【特許文献３】
実登２５９０５９４号公報  「折り畳み式卓球台」。特許請求の範囲、請求項１。考案の詳細な説明、段落０００１〜０００３、０００６〜０００７。図面、図１、図２、図６。
【０００８】
【発明が解決しようとする課題】
上述したように、客観的な基準により卓球台のプレーイング・サーフェスの水平を測定・確認するための提案は、従来なされていない。本発明の課題は、かかる従来技術の欠点を解消し、客観的な基準により卓球台のプレーイング・サーフェスの水平を測定・確認することのできる、水準器付き卓球台および卓球台用水準器ユニットを提供することである。すなわち、審判員の勘に頼ることなく、規定に適合するプレーイング・サーフェスの水平状態を正確かつ簡便に測定・確認・点検することのできる水準器付き卓球台および卓球台用水準器ユニットを提供することである。
【０００９】
【課題を解決するための手段】
本願発明者は上記課題につき鋭意検討し、その解決手段に至った。すなわち、上記課題を解決するための手段として、本願で特許請求される発明は以下のとおりである。
（１）  卓球台の競技用表面を有する競技用板部における競技用表面の水平度を測定するための水準器が取り付けられている、水準器付き卓球台であって、該卓球台の競技用板部の裏面には水準器付き可動板部が設けられており、該水準器付き可動板部は可動板部の上面部に水準器が設けられており、該上面は該競技用表面と平行であり、該水準器付き可動板部は卓球台の水平方向外側に張出させることが可能であることを特徴とする、水準器付き卓球台。
（２）  前記水準器付き可動板部は、前記卓球台の競技用板部の裏面に設けられた摺動ガイド部に摺設されており、水準器使用の際には摺動させて卓球台の水平方向外側に引き出すことが可能であることを特徴とする、（１）に記載の水準器付き卓球台。
（３）  前記水準器付き可動板部は、前記卓球台の競技用板部の裏面に枢設されており、水準器使用の際にはこれを水平方向に回動させて卓球台の水平方向外側に張出させることが可能であることを特徴とする、（１）に記載の水準器付き卓球台。
（４）  卓球台の前記競技用板部における競技用表面の水平度を測定するために卓球台に取り付けることのできる卓球台用水準器ユニットであって、該ユニットは水平度測定のための水準器を上面部に搭載した板状構造である水準器付き可動板部と、卓球台競技用板部の裏面に該ユニット全体を取り付けるための取付構造部とからなり、該取付構造部には該水準器付き可動板部が卓球台の水平方向外側に張出させることが可能に支持される、ことを特徴とする、卓球台用水準器ユニット。
（５）  前記取付構造部は、これに摺設された前記水準器付き可動板部の摺動が可能な摺動ガイド部であることを特徴とする、（４）に記載の卓球台用水準器ユニット。
（６）  前記取付構造部には、前記水準器付き可動板部が卓球台の水平方向外側に回動可能に枢設されていることを特徴とする、（４）に記載の卓球台用水準器ユニット。
【００１０】
すなわち本発明の卓球台は、客観的な基準による卓球台のプレーイング・サーフェスの水平の測定・確認を可能とするために、卓球台に水準器を設けるという解決手段、または既存の卓球台にも取り付け可能な卓球台用水準器ユニットを提供するという解決手段を与えたものである。
【００１１】
【発明の実施の形態】
以下、本発明を図面により詳細に説明する。
図１は、本発明に係る水準器付き卓球台の要部構成を示す説明図である。図において本水準器付き卓球台１０は、卓球台の競技用表面を有する競技用板部４における競技用表面の水平度を測定するための水準器８が、卓球台に取り付けられていることを主たる構成とする。特に該水準器８は、卓球台を構成する該競技用板部４におけるエンドライン側側面部、またはサイドライン側側面部の少なくともいずれか一方に設けられることとすることができる。すなわち競技中には不要である該水準器８は、競技用板部４の表側に形成される競技用表面上や、あるいは該板部４の裏面に設けることは不便または不都合であるため、競技進行の妨害とならずかつ台の水平度測定に便利である卓球台の側面部に設けることが望ましい。本発明は、卓球台における可動式、折り畳み式等の仕様には限定されない（以下も同様である）。
【００１２】
【作用】
図において本水準器付き卓球台１０は上述のような基本構成を有するため、取り付けられた水準器８の表示を見ることによって、卓球台の競技用板部４上の競技用表面の水平度を測定することができる。水平度が良好の場合はそのまま競技に供し、水平度が不良で調整が必要な場合は、たとえば卓球台の足の部分において高さを調整する等して再度水準器８による測定を行い、水平良好な状態を確認した上で競技に供することができる。すなわち、本発明の水準器付き卓球台１０の構成・作用により、客観的な基準による卓球台のプレーイング・サーフェスの水平の測定・確認が可能となり、審判員の勘に頼ることなく、規定に適合するプレーイング・サーフェスの水平状態を正確かつ簡便に測定・確認・点検することができる。
【００１３】
図において、競技用板部４の側面部に設ける水準器８は、その表示部が横向きに設置されるため、かかる設置方法に適した種類の水準器を用いる。すなわち、横方向から見て測定することのできる一の水平方向についての水平度を表示可能な水準器を用いる。棒型の水準器はこれに該当する。卓球台の水平は本来、エンドライン方向（以下、便宜的に「Ｘ方向」ともいう。）、サイドライン方向（以下、便宜的に「Ｙ方向」ともいう。）の両方向において保持されることが要求されるため、水準器８はＸ方向およびＹ方向の水平を測定すべく、エンドライン側側面部およびサイドライン側側面部の双方に設けることが望ましい。両側面部にそれぞれ水準器８を設けることにより、Ｘ、Ｙ両方向の水平度の測定を行うことができ、一方のみを設ける場合と比較して、より水平度測定と水平の確保の精度を高めることができる。ただし、本発明では水準器８を、一方の側面部のみに設けるというより簡易な構成をとることもできる。
【００１４】
面の水平を測る機器の総称である水準器は、一般に、アルコールや不燃性の特殊な溶液を入れた円形や棒状、あるいは樽型のガラス製容器に、一つの気泡を入れて密封したものである。一般に、容器の水平面が有する微妙な曲面のため、水準器を置いた面の角度によって気泡の位置が変化する。つまり、傾いた面上では気泡は容器の中央から離れ、一方、水平面上では気泡は中央にて静止する現象を利用して、水平の度合いを測定するものである。本発明の水準器付き卓球台では、本発明の要件を満たす限りあらゆる公知の水準器を用いることができる。
【００１５】
図において、前記競技用板部４の側面部における水準器８の取り付け方法は、水準器８を該板部４側面部から張り出すように設けるか、あるいは該板部４側面部に穿たれた凹陥部に嵌め込んで側面部の面位置から張り出さないように設けるか、については特に限定されないが、競技者にとって邪魔とならない競技の円滑な実施のためには、少なくともエンドライン側側面部に設ける水準器は、該競技用板部４の側面に嵌め込んでこれが側面部の面位置から張り出さないように設けることが望ましい。
【００１６】
図において、水準器付き卓球台１０の卓球台は二の競技用板部４上に各コートが設けられているが、各競技用板部４、４においてそれぞれの競技用表面の水平度を測定するために、図示するように、水準器８は各競技用板部４、４においてそれぞれ設けることが望ましい。
【００１７】
図２は、本発明に係る水準器取り付け位置に特徴のある水準器付き卓球台の要部構成を示す説明図である。図において水準器付き卓球台３０は、卓球台の競技用表面を有する競技用板部２４における競技用表面の水平度を測定するための水準器８が、卓球台を構成する該競技用板部２４におけるエンドライン側側面部の中央部、およびサイドライン側側面部の中央部にそれぞれ設けられている構成とすることができる。水準器８を各側面部の中央部に設けることにより、各方向の水平度測定を、より競技用表面の平均的な水平度を反映し得る位置で行うことができ、水平度測定の精度を高めることができる。図３は、図１に示した水準器付き卓球台１０の卓球台と同様、二の競技用板部２４、２４上に各コートが設けられている卓球台の例である。
【００１８】
図３は、水準器付き可動板部を有する本発明水準器付き卓球台の側面断面構成を示す説明図である。図において本水準器付き卓球台５０は、前記卓球台の競技用板部４４の裏面に、水準器付き可動板部４６が設けられた構成をとる。該水準器付き可動板部４６は、該競技用板部４４に対して水平方向に位置を変化させることができ、それにより卓球台の水平方向外側に張出させることが可能であるように構成された可動板部からなる。また、その上面部には水準器８が設けられており、かつ該上面部の面は該競技用板部４４の競技用表面と平行となるように構成される（上記（１）の発明）。該水準器８は該可動板部４６の上面位置から突出しないよう、たとえば該可動板部４６に穿たれた凹陥部に嵌め込むようにすることが望ましい。
【００１９】
図において本水準器付き卓球台５０は上述のように構成されるため、該水準器付き可動板部４６を構成する可動板部（これにも適宜、符号「４６」を付す。）により、該競技用板部４４に対して卓球台の水平方向外側に張出させることができる。該可動板部４６の上面部には水準器８が設けられているため、張り出した可動板部４６上の水準器８の表示を見ることにより、該可動板部４６上面と平行である該競技用板部４４の競技用表面における水平度を測定することができる。かかる構成・作用により、本水準器付き卓球台５０を用いれば、不要の際には可動板部４６を卓球台の裏面に収納しておき、水平度測定が必要な場合にこれを卓球台の水平方向外側に張出させて、該可動板部４６上の水準器８により簡易に水平度測定を行うことができる。
【００２０】
図において本水準器付き卓球台５０は、前記水準器付き可動板部４６が、前記卓球台の競技用板部４４の裏面に設けられた摺動ガイド部４７に摺設された構成とすることができる（上記（２）の発明）。すなわち該水準器付き可動板部４６は該摺動ガイド部４７上においてＳ方向に摺動できるように取り付けられる。そして該摺動ガイド部４７は卓球台の競技用板部４４の裏面に固定されるか、あるいは着脱自在に固定される。
【００２１】
図において、本水準器付き卓球台５０は上述のように構成されるため、該水準器付き可動板部４６の水平方向外側への張出しは、摺動（Ｓ）による水平方向外側への引き出しにより、円滑に行うことができる。すなわち、かかる構成・作用により、本水準器付き卓球台５０を用いれば、不要の際には可動板部４６を卓球台の裏面に収納しておき、水平度測定が必要な場合にこれを卓球台の水平方向外側に摺動させて引き出して、該可動板部４６上の水準器８により簡易に水平度測定を行うことができる。
【００２２】
図において、前記水準器付き可動板部４６と、これが摺設される前記摺動ガイド部４７とを一体として、卓球台用水準器ユニット４５とし、該卓球台用水準器ユニット４５を卓球台に取り付けることによって、本発明の水準器付き卓球台を構成することもできる。
【００２３】
図４は、水準器付き可動板部を備える本発明水準器付き卓球台の別の例につきその要部の平面構成を示す説明図である。図において本水準器付き卓球台６０は、水準器付き可動板部５６が、前記卓球台の競技用板部５４の裏面に枢設された構成とすることができる（上記（３）の発明）。該可動板部５６の枢設は、回動の中心となりかつ該競技用板部５４に固定される支点部材５７により行うことができる。
かかる構成により、水準器付き可動板部５６の水平方向外側への張出しは、回動（Ｒ）による水平方向外側への引き出しにより、円滑に行うことができる。すなわち、かかる構成・作用により、本水準器付き卓球台６０を用いれば、不要の際には可動板部５６を卓球台の裏面に収納しておき、水平度測定が必要な場合にこれを卓球台の水平方向外側に回動させて張り出させ、該可動板部５６上の水準器８により簡易に水平度測定を行うことができる。
【００２４】
図において、前記水準器付き可動板部５６と、これを卓球台の競技用板部５４に摺設するための前記支点部材５７とを一体として、卓球台用水準器ユニット５５とし、該卓球台用水準器ユニット５５を卓球台に取り付けることによって、本発明の水準器付き卓球台を構成することもできる。
【００２５】
図５は、本発明の卓球台用水準器ユニットの側面断面構成を示す説明図である。図において本卓球台用水準器ユニット７５は、卓球台の前記競技用板部における競技用表面の水平度を測定するために卓球台に取り付けることのできる卓球台用水準器ユニット７５であって、該ユニット７５は水平度測定のための水準器７８を上面部に搭載した板状構造である水準器付き可動板部７６と、卓球台競技用板部の裏面に該ユニット７５全体を取り付けるための取付構造部７７とからなり、該取付構造部７７には該水準器付き可動板部７６が卓球台の水平方向外側に張出させることが可能に支持される、ことを主たる構成とする（上記（４）の発明）。
【００２６】
かかる構成により本卓球台用水準器ユニット７５は、取付構造部７７によって卓球台競技用板部の裏面に取り付けられ、卓球台の前記競技用板部における競技用表面の水平度を測定する必要がある場合には、該取付構造部７７に支持されている水準器付き可動板部７６が卓球台の水平方向外側に張り出させられ、該水準器付き可動板部７６の上面部に搭載された水準器７８の表示により、水平度が測定される。ここで測定される水平度が、卓球台の競技用表面の水平度を反映させるために、該水準器付き可動板部７６の水準器８が設けられる上面は、競技用表面と平行となるように、本ユニット７５は競技用板部に取り付けられる。
【００２７】
前記取付構造部７７の卓球台競技用板部への取り付けは、永久的な固定でも、着脱自在な固定でもよい。取り付け方法としては、接着剤による接着、ねじや釘等による打ち付け、磁石の利用、その他適宜の方法を用いることができる。
【００２８】
図において、本卓球台用水準器ユニット７５は、前記取付構造部７７を、これに摺設された前記水準器付き可動板部７６の摺動Ｓ’が可能な摺動ガイド部とすることができる（上記（５）の発明）。かかる構成により本卓球台用水準器ユニット７５は、該水準器付き可動板部７６の水平方向外側への張出しを、摺動（Ｓ’）による水平方向外側への引き出しにより、円滑に行うことができる。すなわち、かかる構成・作用により、本卓球台用水準器ユニット７５を卓球台に取り付けて用いれば、不要の際には可動板部７６を卓球台の裏面に収納しておき、水平度測定が必要な場合にこれを卓球台の水平方向外側に摺動させて引き出して、該可動板部７６上の水準器７８により簡易に水平度測定を行うことができる。
【００２９】
図６は、本発明の卓球台用水準器ユニットの別の構成につき、その平面構成を示す説明図である。また、
図７は、図６に示す卓球台用水準器ユニットの側面断面構成を示す説明図である。これらの図において本卓球台用水準器ユニット８５は、取付構造部８７に水準器付き可動板部８６が、卓球台の水平方向外側に回動（Ｒ’）可能に枢設されている構成をとる（上記（６）の発明）。すなわち、本卓球台用水準器ユニット８５は、卓球台の前記競技用板部における競技用表面の水平度を測定するために卓球台に取り付けることのできるものであって、該ユニット８５は、水平度測定のための水準器８８を上面部に搭載した板状構造である水準器付き可動板部８６と、卓球台競技用板部の裏面に該ユニット８５全体を取り付けるための取付構造部８７とからなり、該取付構造部８７には該水準器付き可動板部８６が枢設され、該取付構造部８７は該水準器付き可動板部８６を、卓球台の水平方向外側に回動により張出させることが可能に支持する構成をとる。
【００３０】
かかる構成により本卓球台用水準器ユニット８５は、取付構造部８７によって卓球台競技用板部の裏面に取り付けられ、卓球台の前記競技用板部における競技用表面の水平度を測定する必要がある場合には、該取付構造部８７に支持されている水準器付き可動板部８６が卓球台の水平方向外側に回動Ｒ’により張り出させられ、該水準器付き可動板部８６の上面部に搭載された水準器８８の表示により、水平度が測定される。ここで測定される水平度が、卓球台の競技用表面の水平度を反映させるために、該水準器付き可動板部８６の水準器８８８が設けられる上面は、競技用表面と平行となるように、本ユニット８５は競技用板部に取り付けられる。
【００３１】
【発明の効果】
本発明の水準器付き卓球台および卓球台用水準器ユニットは上述のように構成されているため、客観的な基準により卓球台のプレーイング・サーフェスの水平を測定・確認することができる。すなわち、審判員の勘に頼ることなく、規定に適合するプレーイング・サーフェスの水平状態を正確かつ簡便に測定・確認・点検することができる。
【００３２】
特に本発明の水準器付き卓球台によれば、卓球台にあらかじめ水準器が取り付けられているため、他に特段の方法を使用することなく競技規定に則した競技を実施することができる。また本発明の卓球台用水準器ユニットによれば、従来の卓球台に対してこれを取り付けるだけで、水準器付き卓球台と同様の効果を得ることができる。